(57)【要約】【課題】      身体に装着したままで、バッグがウエストベルトに沿って容易に移動できるようにしたウエストバッグを提供すること。【解決手段】  ベルト１とベルト１の内側（身体側）に配された仕切体２とベルト１に沿って長手方向に移動可能に取り付けられたバッグ３で構成されている。  仕切体２はベルト１と身体の間に介在し、ベルト１と身体を仕切るものである。  仕切体２は合成樹脂材や皮革等で長方形の板状部材２ａが湾曲して形成され、可撓性を有しウエスト形状に沿って湾曲する。  板状部材２ａの両端は屈曲されて屈曲部２ｂ、２ｂに透孔２ｃ、２ｃが穿設されて透孔２ｃ、２ｃにベルト１が挿通されて仕切体２はベルト１に支持されている。  透孔２ｃ、２ｃの間のベルト１は仕切体２の外側に添設されている。  透孔２ｃ、２ｃの間のベルト１にバッグ３の取り付け部８が取り付けられている。【選択図】        図２
2005074131.tif 000002
【特許請求の範囲】
【請求項１】
ベルトに、その両側の端部が支持されるように仕切体を設け、前記仕切体の支持部間の前記ベルトに、該ベルトに沿って移動可能にバッグを取り付けたことを特徴とするウエストバッグ。
【請求項２】
バッグはベルトに遊嵌して取り付けたことを特徴とする請求項１記載のウエストバッグ。
【請求項３】
仕切体とベルトの間に間隙が形成されていることを特徴とする請求項１または２記載のウエストバッグ。
【発明の詳細な説明】
【技術分野】
【０００１】
本発明は、バッグが衣服の上衣等に引っかからずに移動可能なウエストバッグの改良に関する。
【背景技術】
【０００２】
従来のウエストバッグは、例えば特許文献１のように、開閉可能な容体の背部に、一部をスナップ等により接合、分離可能としたバンド通しを取付けた釣用小物入れであった。
また、特許文献２では、身体に装着されるウエストベルトにベルト保持部で釣具収納ボックスを保持させたまま、その釣具収納ボックスを開いて釣具を取り出したり釣具を収納したりすることのできる釣具収納ボックスの携行具であった。
【０００３】
従来小物入れや釣具収納ボックスが使用される時は、ズボンのベルトや衣服の上にウエストベルトが取り付けられてズボンのベルトやウエストベルトに特許文献１の釣用小物入れが取り付けられたり、特許文献２のように身体に装着されるウエストベルトにベルト保持部で釣具収納ボックスを保持させていた。
身体に装着した釣用小物入れや釣具収納ボックスから物を取り出す時には、釣用小物入れや釣具収納ボックスを身体の前側に装着して使用し、それ以外の時は邪魔にならないように、釣用小物入れや釣具収納ボックスを身体の側部より後ろ側に装着していることが好ましい。
【０００４】
しかし、このように釣用小物入れや釣具収納ボックスを身体の前側に装着したり、後ろ側に装着したりするには、特許文献１の釣用小物入れではズボンのベルトに取り付けられているためズボンのベルト通しに釣用小物入れのバンド通しがぶつかって移動出来なかった。
また、特許文献１の釣用小物入れを衣服の上にウエストベルトが取り付けられてこのウエストベルトに釣用小物入れを取り付けている時や特許文献２の身体に装着されるベルトにベルト保持部で釣具収納ボックスを保持させた時には、ウエストベルトごと回して衣服の上を移動させることは摩擦抵抗が大きく困難であり、ベルトをそのままに衣服の上を釣用小物入れや釣具収納ボックスを移動する場合でも衣服と、釣用小物入れに取り付けられたバンド通し（取付部）や釣具収納ボックスのベルト保持部が摩擦して移動し難い欠点があり、ベルトを外して移動させていた。
【特許文献１】実開昭６３−１２２０８１号
【特許文献２】特開平１１−７５６５１号
【発明の開示】
【発明が解決しようとする課題】
【０００５】
解決しようとする問題点は、小物入れや収納ボックスを身体の前側に装着したり、後ろ側に装着したりするには、特許文献１の釣用小物入れではズボンのベルトに取り付けられた時にはズボンのバンド通しに小物入れがぶつかって移動出来なかった。
また、特許文献２の身体に装着されるベルトにベルト保持部で収納ボックスを保持させた時には、ベルトごと回して衣服の上を移動することは摩擦抵抗が大きく困難であり、ベルトをそのままに衣服の上を小物入れや収納ボックスを移動する場合でも衣服と、小物入れに取り付けられたバンド通しや収納ボックスのベルト保持部が摩擦して移動し難い欠点がある。
ことである。
【０００６】
本発明の目的は前記欠点に鑑み、身体に装着したままで、バッグがウエストベルトに沿って容易に移動できるようにしたウエストバッグを提供することである。
【課題を解決するための手段】
【０００７】
本発明の請求項１は、ベルトに、その両側の端部が支持されるように仕切体を設け、前記仕切体の支持部間の前記ベルトに、該ベルトに沿って移動可能にバッグを取り付けたことを要旨とするものである。
本発明の請求項２は、バッグはベルトに遊嵌して取り付けたことを要旨とするものである。
本発明の請求項３は、仕切体とベルトの間に間隙が形成されていることを要旨とするものである。
【発明の効果】
【０００８】
請求項１の本発明により、ウエストバッグを身体に取り付けた状態で、バッグをベルトに沿って容易に移動させることができる。
請求項２の本発明により、バッグをベルトに容易に移動可能に取り付けることができる。
請求項３の本発明により、バッグの移動をスム−ズに行える。
【発明を実施するための最良の形態】
【０００９】
ウエストバッグは、仕切体２の両端部の透孔２ｃ、２ｃの間のベルト１にバッグ３の取り付け部８が取り付けられ、ベルト１に沿ってスライドさせて移動させることができるが、このバッグ３のスライド時にベルト１と身体の間に介在する仕切体２によって着ている服にバッグ３の取り付け部８が接触が防止されるためスム−ズに移動させることができる。
釣りに使用する時ウエストバッグを身体に取り付けた状態で、バッグ３を容易に移動することができ、バッグ３の中から物を取り出す時には取っ手１１を引いてバッグ３を前側に移動して行い、釣りの操作（キャスティングやリ−ルの巻き取り）を行う時は、バッグ３を押して後ろ側に移動することで釣りの操作の邪魔にならない。
釣り以外に使用する時は、バッグ３の中から物が取り出し易い位置とバッグ３が邪魔にならない位置に仕切体２とバッグ３が位置するようにウエストバッグを身体に取り付ける。
【実施例１】
【００１０】
以下、図示の実施例によって本発明を説明すると、図１から図４は第１実施例で、図１（ａ）はベルトに取り付けられたウエストバッグの斜視図で、（ｂ）は（ａ）の左側（バックル５側）の一部拡大斜視図で、（ｃ）は（ａ）の右側（バックル６側）の一部拡大斜視図、図２は断面にした仕切体をベルトに取り付けられたウエストバッグの平面図、図３はベルトと断面にした仕切体を示すウエストバッグの側面図、図４は釣人とウエストバッグの平面説明図で、身体に取り付けた時の模式図である。
【００１１】
ウエストバッグはベルト１とベルト１の内側（身体側）に配された仕切体２とベルト１に沿って長手方向に移動可能に取り付けられたバッグ３で構成されている。
ベルト１はベルト体４と、ベルト体４の一端４ａに取り付けられたバックル５と、ベルト体４の他端の折り返し部４ｂに取り付けられたバックル６と、ベルト体４の長さを調整する長さ調整環７で構成されている。
ベルト体４は紐状や帯状に形成した合成樹脂繊維の織布や合成樹脂成形品、皮革などからなっている。
ベルト体４の折り返し部４ｂではバックル６を介して折り返されると共に保持され、折り返されたベルト体４は折り返し前のベルト体４に重ねて添設され、二枚重ねで長さ調整環７に挿通されて保持される。
バックル６のベルト挿通孔は透孔の中に可動する支柱が挿入されてベルト体４の折り返し部４ｂが支柱を回り込んで引っ張り方向に力が掛かった時抜け難く形成されている。
バックル５とバックル６が互いに係合及び離脱可能に形成され、長さ調整環７で適当な長さに調節して保持でき、取り付けるウエストの大きさに合致させるようになっている。
【００１２】
仕切体２はベルト１と身体の間に介在し、ウエストバッグを装着した時にベルト１と身体を仕切るものである。
仕切体２は合成樹脂材や皮革等で長方形の板状部材２ａによって形成され、仕切体２は可撓性を有しウエスト形状に沿って湾曲する。
板状部材２ａの両端に透孔２ｃ、２ｃが穿設されて透孔２ｃ、２ｃにベルト１が挿通されて板状部材２ａは仕切体２としてベルト１に支持されている。
この時仕切体２の両端は屈曲されて屈曲部２ｂ、２ｂが形成されている。
透孔２ｃ、２ｃの間のベルト１は仕切体２の外側に添設されている。
透孔２ｃ、２ｃの間のベルト１に物の収納が可能なバッグ３が取り付けられている。
仕切体２の内側（身体側）表面には複数の滑り止めの突起２ｄが形成されて身体に接触する裏面が移動を防止している。
仕切体２は、バッグ３がスライド移動する表面側が裏面に比べて滑面状に形成されている。
【００１３】
バッグ３は、合成樹脂のケ−スや布の袋体など物の収納が可能であればよいが、ウエストバッグが釣り用の時は、バッグ３の材料は、防水性を有していることが好ましい。
バッグ３は上側に物の取り出し口を有し、その裏面にベルト１への取り付け部８を有し、この取り付け部８によってベルト１に沿って移動可能に取り付けられる。
取り付け部８は、バッグ３の裏面に両端を取り付けた帯体で、一端が固定され、他端がベルベット式ファスナ−９で着脱でき、この帯体で形成されるリング状の挿通部にベルト１が挿通されてバッグ３がベルト１に遊嵌される。
このバッグ３は、仕切体２の両端部の透孔２ｃ、２ｃの間のベルト１に取り付けられ、ベルト１に沿ってスライドするように移動させることができるが、このバッグ３の移動時にベルト１と身体の間に介在する仕切体２によって着ている服にバッグ３の取り付け部８の接触が防止されるためスム−ズに移動させることができる。
【００１４】
尚、仕切体２にベルト１に沿って移動するバッグ３の取り付け部８が接触しても仕切体２は服のごとく皺ができないような硬さで形成しているためその移動を防げることがない。
仕切体２は、バッグ３を移動させたい範囲に合わせてベルト１への取り付け位置を変更できる。
【００１５】
バッグ３の取り出し口には蓋体１０が係合チャック１１で開閉自在に閉じられている。
蓋体１０はベルベット式ファスナ−やホック等で開閉自在に閉じられてもよい。
バッグ３の側部には取っ手１２が固定されている。
取っ手１２はバッグ３の上記以外の位置に設けてもよく、布製のほか合成樹脂製や木製でもよい。
【００１６】
ウエストバッグが腰に装着される時、ベルト１のベルト体４の長さがバックル６と長さ調整環７で調整されて取り付けられ、係脱自在のバックル５、６が係合され人Ａの正面に配置されてベルト１が人Ａの腰に装着され、仕切体２と釣り用バッグ３は身体の一側の前側から後ろ側の間に配置される。
仕切体２の透孔２ｃの中をベルト体４が挿通され、仕切体２がベルト体４に遊嵌されているので、バッグ３を手で押したり引いたりすれば仕切体２の透孔２ｃ、２ｃの間をベルト１に沿って前側から体側を通って後ろ側に人の身体回わりに回して移動することが出来る。
この時仕切体２の内側（背面）は人の衣服の上に重ねられているが、仕切体２の外側のベルト１に取り付けられた取り付け部８は衣服に引っ掛かることが防止される。
【００１７】
前記のようにウエストバッグが構成されると、バッグ３を容易に移動することができ、バッグ３の中から物を取り出す時には取っ手１２を引いてバッグ３を身体の前側に移動して行い、バッグ３を使用しない時は、バッグ３を押して身体の後ろ側に移動することで邪魔にならないようにすることができる。
【００１８】
尚、第１実施例のウエストバッグを釣りに用いて、バッグ３を移動させて、身体の前側に移動させたときは釣り用バッグの物の取り出しが容易となり、身体の後ろ側に移動させた時は釣り操作（キャスティングやリ−ルの巻き取りなど）の邪魔にならない。
【実施例２】
【００１９】
図５、図６は第２実施例で、図５は仕切体の斜視図、図６はベルトと断面にした仕切体を示すウエストバッグの要部断面平面図である。
【００２０】
第２実施例では、仕切体２が合成樹脂材や皮革等で長方形の板状部材２ａに形成され、可撓性を有しウエスト形状に沿って湾曲する。
板状部材２ａの両端は屈曲部２ｂ、２ｂが形成され、屈曲部２ｂ、２ｂに透孔２ｃ、２ｃが穿設されて透孔２ｃ、２ｃにベルト１が挿通されて仕切体２はベルト１に支持されている。
透孔２ｃ、２ｃの間の仕切体２の表面側に長手方向に延びる凹部２ｅが形成されている。
他の構成は前記第１実施例と略同一である。
【００２１】
仕切体２の表面側にベルト１が添設される部分に対応して凹部２ｅが形成されて仕切体２とベルト１の間に間隙を設けるとバッグ３の取り付け部８との接触が少なくなり移動がスム−ズになる。
尚、凹部２ｅとベルト１は一部接触していてもよい。
しかもこの時、凹部２ｅに両側において仕切体２にベルト１が添接されているため、バッグ３が仕切体２の両側端部側の凹部２ｅのないａ位置に移動した時は、バッグ３の取り付け部８が仕切体２とベルト１の間に挾持されて移動し難くなるため、バッグ３の開閉操作がしやすくなり、また、バッグ３の動きが防止されて不快感が無く身体が動かしやすい。
したがって、釣りを行う時は仕切体２を体側に位置させることでバッグ３を身体の前側から後側に移動でき、バッグ３内のものを取り出す時はバッグ３を身体の前側に移動させて作業し、釣りを行う時は邪魔にならないように身体の後側に移動させることができキャスティング等をスム−ズに行うことができる。
【実施例３】
【００２２】
図７は第３実施例で、図７は仕切体の斜視図である。
【００２３】
第３実施例では、仕切体２の透孔２ｃ、２ｃの間の板状部材２ａの表面側上下に長手方向に２条のリブ２ｆ、２ｆが形成されている。
他の構成は前記第１実施例と略同一である。
【００２４】
仕切体２の板状部材２ａの表面側上下に２条のリブ２ｆ、２ｆを設けることで、バッグ３の移動時にバッグ３の取り付け部８がこのリブ２ｆ、２ｆに接触するが、このリブ２ｆ、２ｆに移動を案内され、このリブ２ｆ、２ｆ以外に仕切体２に接触しにくくなるため、バッグ３の移動がスム−ズになる。
【００２５】
前記説明では、仕切体２は、その両端部の透孔２ｃ、２ｃにベルト１が挿通されてベルト１に移動自在に支持したが、その両端部をベルト１に固定してもよい。
また板状以外の形状に形成してもよい。
バッグ３の取り付け部８はリング状の帯体としたが、ベルト１に沿って移動できれば他の構造でもよく、例えばベルト１に沿って移動可能に係止できるフックを設けてもよい。
【産業上の利用可能性】
【００２６】
このウエストバッグは日用品として使用するバッグや魚釣りや登山等の野外活動やスポ−ツの道具入れとして使用できる。
【図面の簡単な説明】
【００２７】
【図１】第１実施例で、（ａ）はベルトに取り付けられたウエストバッグの斜視図で、（ｂ）は（ａ）の左側の一部拡大斜視図で、（ｃ）は（ａ）の右側の一部拡大斜視図である。
【図２】同断面にした仕切体をベルトに取り付けられたウエストバッグの平面図である。
【図３】同ベルトと断面にした仕切体を示すウエストバッグの側面図である。
【図４】同釣人とウエストバッグの平面説明図で、身体に取り付けた時の模式図である。
【図５】第２実施例で、仕切体の斜視図である。
【図６】同ベルトと断面にした仕切体を示すウエストバッグの要部断面平面図である。
【図７】第３実施例で、仕切体の斜視図である。
【符号の説明】
【００２８】
１  ベルト
２  仕切体
３  バッグ
【図１】
2005074131.tif 000003
【図２】
2005074131.tif 000004
【図３】
2005074131.tif 000005
【図４】
2005074131.tif 000006
【図５】
2005074131.tif 000007
【図６】
2005074131.tif 000008
【図７】
2005074131.tif 000009